(57)【要約】      （修正有）【課題】苗木にポールを添え立ちし、ポール間の上下に棚線を複数本架設して、ポールの横ブレを防止し、苗木が傾斜しないように生成を助長させる棚線の結束具を提供する。【解決手段】片端に引掛け部５と、ポール１を少なくとも略半円程度は巻き込む滑り止め体６を備えた巻き込み部４と、前記引掛け部５と反対方向の端部に、輪状を呈するレバー７を備えるとともに、棚線を複数回巻き込み係止するようなスプリング状態に延長部３を形成されていることを特徴とする。結束具本体の線材は、ステンレス製とするとともに、結束具のポールに接する部位に設けられる滑り止め体６はゴム製とする。【選択図】図２
0003151242.tif 000002
【実用新案登録請求の範囲】
【請求項１】
片端に引掛け部５と、ポール１を少なくとも略半円程度は巻き込む滑り止め体６を備えた巻き込み部４と、前記引掛け部５と反対方向の端部に、輪状を呈するレバー７を備えるとともに、棚線を複数回巻き込み係止するようなスプリング状態に延長部３を形成していることを特徴とする棚線結束具。
【請求項２】
結束具本体の線材は、ステンレス製であることを特徴とする請求項１記載の棚線結束具。
【請求項３】
ポールに巻接する巻き込み部４の部位に設けられる滑り止め体６は、ゴム製であることを特徴とする請求項１記載の棚線結束具。
【考案の詳細な説明】
【技術分野】
【０００１】  本考案は、主としてリンゴの樹木を小型に保ち、且つ早期に多収が可能な技術、所謂、新わい化栽培での苗木の育苗に、圃場へ定植されるこれらの苗木に、並びにその他の果樹園でも重要な役目を果たす、苗木などに添え立ち使用されるポールと棚線を結束する結束具に関するものである。
【背景技術】
【０００２】  世界のりんごの主産国では、りんごの苗木を作るとき発根性に優れているマルハカイドウという植物を台木とし、このマルハカイドウにＭ２６やＭ９などと称され、樹を小さく納めることができるという「わい性台木」を接ぎ木した台木に、更に求める品種を接いだ苗木（穂木）を用いた新わい化栽培が主流となっている。
この新わい化栽培法の普及は、生産者の高齢化と担い手不足の中で、リンゴの樹木が小型にしか育たないために梯子や脚立を使わずに剪定や袋掛け、その後の収穫作業ができるようになったことはりんご果樹園づくりと、その運営と経営に大いに貢献している。【０００３】  りんごの新わい化栽培における苗木の生育は収穫に直接関係する最も重要な作業で、成功の可否はこの苗木の生育促進と、その後圃場へ定植されるこれらの育樹の苗木の生育にあると言って過言ではなく、順調な生育をひたすら願いながら管理を怠り無く日々続けている。
つまり、苗木を理想的な樹に順調に生育させるために、各々の苗木にポールを添え立ちし、且つこれらのポールとポールの間に棚線を上下に複数本架設して、ポールの横ブレを防止し、苗木が傾斜しないように生育を助長させる作業が求められる。この作業はりんご園のみならず他の果樹園でも同様に最も重要な作業の一つである。
【考案の開示】
【考案が解決しようとする課題】
【０００４】  そこで出願人は、苗木にポールを添え立ちし、且つこれらのポールとポールの間の上下に棚線を複数本架設して、ポールの横ブレを防止し、苗木が傾斜しないように生育を助長させるとともに、生産者の高齢化と担い手不足の中でのこれらの作業効率を上げ、栽培農家の作業軽減を図り、且つ、新規就農者の果樹園づくり参入の一翼を担おうとするものである。
【課題を解決するための手段】
【０００５】  本考案の棚線結束具Ａは、片端に引掛け部５と、ポール１を少なくとも略半円程度は巻き込む滑り止め体６を備えた巻き込み部４と、前記引掛け部５と反対方向端部に、輪状を呈するレバー７を備えるとともに、棚線を複数回巻き込み係止するようなスプリング状態に延長部３を形成して課題を解決するための手段としている。【０００６】  結束具本体の線材はステンレス製で、ポールに巻接する巻き込み部４に設けられる滑り止め体６はゴム製で形成されていることも特徴としている。
【考案の効果】
【０００７】  本考案の棚線結束具は、片端に引掛け部と、ポールを少なくとも略半円程度は巻き込む滑り止め体を備えた巻き込み部と、前記引掛け部と反対方向端部に、輪状を呈するレバーを備えるとともに、棚線を複数回巻き込み係止するようなスプリング状態に延長部を形成し、線材はステンレス製で、巻き込み部に設けられる滑り止め体はゴム製で形成さして解決するための手段とするものであるから、以下の効果を奏する。【０００８】（１）ポールに棚線を固定する作業は従来紐などで行われていたが、本考案の棚線結束具は、片端の引掛け部を棚線に引掛け、巻き込み部をポールに巻き込み、次に、前記引掛け部と反対方向に延長している延長部を、端部に備えられている輪状を呈するレバーを用いながら、棚線に形成された巻数だけ絡めるだけの簡便な作業でポールに棚線を固定することができるので、高齢者にも容易に使用することができる。【０００９】（２）巻き込み部のポールに巻接する部位には、滑り止めを備えているので、ポールと棚線の固定は強固に行われることになり、上下及び左右にずれたり動いたりする事が無い。
また、引掛け部と反対方向に延長している延長部が棚線に複数回巻き込まれていることがより一層ポールと棚線の固定を強固にしている。【００１０】（３）本考案の棚線結束具はポールに棚線を固定するもので、ポールに当てられた棚線の反対側から固定を行うので、棚線を潜ってポールの表に廻ったり裏に廻ったり移動することなく、常に片側一方側でのみの作業で行えることは大幅な作業効率の向上が図られる。
つまり、苗木の片側一方側のみを横に進みながら、次々に固定作業を進める事ができる。【００１１】（４）また本考案の棚線結束具本体の線材は、ステンレス製であるところから耐候性に優れ防錆性に富んでいるため、錆び難く苗木がポールの添え立ちを必要としなくなるまで、特段の事情が無い限り交換補充を必要としないばかりでなく、複数回の使用も可能である。
【考案を実施するための最良の形態】
【００１２】  本考案の棚線結束具は、耐候性に優れ防錆性に富んでいるステンレスの線材で作られ、できれば滑り止め体を備えた巻き込み部の径が使用されるポールの太さに合わせ、３〜４数種類異なるものが用意されることが望ましい。【００１３】  棚線結束具は、片端に棚線に引掛けるに十分な長さを有して引掛け部を備え、この引掛け部から方向を曲げ変えささせられて、ポールを少なくとも略半円程度は巻き込む滑り止め体を備えた巻き込み部を形成し、これから前記引掛け部と反対方向に、端部に輪状を呈するレバーを備えるとともに、少なくとも二回は棚線を巻き込んで係止するような、スプリング状態を呈する延長部が形成されて構成される。【００１４】  棚線結束具の巻き込み部に設けられる滑り止め体は、出願人の実験の結果、ゴム製であることが他の材料で作られたものよりもポールのブレを防止すると言う目的達成のために望ましい結果が得られている。
【実施例】
【００１５】  図面に示す実施例に基づき本考案の棚線結束具Ａを詳細に説明すると、図１は、苗木を傾斜させずに理想的な樹木に生育させるために各々の苗木に添え立ちされるポール１と、このポールを安定させるために、ポールとポールの間に、ポールの高さに合わせて適宜な複数本が架設される棚線を示している。【００１６】  図２は、図１に本考案の棚線結束具Ａを使用した状態を一部断面で示したもので、該棚線結束具Ａは、片端に引掛け部５を有し、この引掛け部から方向を曲げ変えささせられて、ポール１を少なくとも略半円程度巻き込む滑り止め体６を備えた巻き込み部４と、これから前記引掛け部５と反対方向に、端部に輪状を呈するレバーを備えるとともに、少なくとも二回は棚線を巻き込んで係止するようなスプリング状態を呈する延長部３を形成している。【００１７】  図３は図２の状態を側面から示したもので、図２よりも棚線２を拡大誇張して描き、棚腺と結束具の状態を明確に示した。
【産業上の利用可能性】
【００１８】  苗木にポールを添え立ちし、且つこれらのポールとポールの間には棚線を複数本架設して、ポールの横ブレや傾斜を防止することで、苗木の傾斜発育を防ぎ、順調な苗木の生育を助長させ理想的な樹木に生育させることができる。
これらのポールと棚線を固定する作業は、長時間立ったままの姿勢を強いられる重労働で、果樹園農家の難儀な作業の一つである。
この作業の軽減を図るには、片手でも固定が簡便にできるばかりでなく、ポールの裏側表側と移動することなく片側一方側だけで行え、また、一度固定されたものは横ブレしたり上下にずれたりする事も無く、その上苗木が生育するまで固定具を交換することもないので、本考案の棚線の結束具を使用することで開放されることは大きい。
したがって、生産者の高齢化と担い手不足の中、これらの時間と重労働を要する作業からの軽減は、単にりんごの新わい化苗木栽培園のみならず、他の果樹園経営の朗報で産業上の利用可能効果は大いに期待される。
【図面の簡単な説明】
【００１９】
【図１】苗木に立ち添えられるポールと、これらのポールとポールの間に架設される棚線を説明する図である。
【図２】ポールポールの間に架設された棚線を、本考案の結束具で固定した状態を一部断面で説明する図である。
【図３】ポールと棚線を、本考案の結束具で固定した状態を側面から一部断面で説明する図である。
【符号の説明】
【００２０】１ポール      ２棚線      ３延長部      ４巻き込み部      ５引掛け部
６滑り止め体      ７輪状レバー
【図１】
0003151242.tif 000003
【図２】
0003151242.tif 000004
【図３】
0003151242.tif 000005